(57)【特許請求の範囲】
【請求項１】
仮設建築物の本体構造物に固定される、縦方向に延びる一方の縦パイプと、この一方の縦パイプに対向して配置される遊動自在な他方の縦パイプと、シートを挿通するため上記各縦パイプの外側面に軸方向に形成した縦方向のスリットと、上記一方及び他方の縦パイプから夫々対向方向に延びる一方及び他方の互いに係合可能なラック部とよりなり、上記一方の縦パイプと上記他方の縦パイプとの間の距離が可変であることを特徴とする仮設建築用シートの取付装置。
【請求項２】
請求項１に記載された仮設建築用の取付装置のために使用される幅寄せ装置であって、上記一方及び他方の縦パイプから夫々上記対向方向と反対の方向に延びる一方及び他方のガイドに対接されこれら一方及び他方のガイドを挟持するため上記一方の縦パイプの外側と上記他方の縦パイプの外側において縦方向前側に設けた左右の前輪及び縦方向後側に設けた左右の後輪と、これら左右の前輪及び後輪を一体に縦方向に摺動自在ならしめるための幅寄せ本体とより成り、上記左右の後輪間の距離が上記左右の前輪間の距離より狭いことを特徴とする幅寄せ装置。
【請求項３】
上記左右の前輪間及び後輪間の距離の少なくとも一方が可変であることを特徴とする請求項２記載の幅寄せ装置。
【発明の詳細な説明】
【０００１】
【発明の属する技術分野】
本発明は仮設建築用シートの取付装置、特に、土木、建築の作業現場の仮設建築物に防寒等のために張設する仮設建築用シートの取付装置に関するものである。
【０００２】
【従来の技術】
従来仮設建築用シートの取付装置は例えば特開平９−３２８９３３号等に示されている。
【０００３】
図６は従来既知のシートジョイント１を示し、２は本体構造物３にボルト４により固定した、上記シートジョイント１の縦長台板、５は上記縦長台板２の両側に並列した２つの縦方向に延びる縦パイプ、６はこの縦パイプ５の外側面に軸方向に形成した縦方向のスリット、７は横方向に張架されるシート、８は上記シート７の横方向端部を巻き付けた棒状体であって、この棒状体８は縦パイプ５の端面から縦パイプ５内に挿入され、このときシート７はスリット６内に挿通されるようになっている。
【０００４】
【発明が解決しようとする課題】
このような仮設建築用シートは、緩んだ状態で取り付けるのが作業上において便利であるがこれに緩みがあればしわが生じて外観が悪くなり、また、風等により上下運動して雨漏れのもとになる。従ってシートは張設後これに緩みが生じないようその横方向に引張するのが好ましいが、このような目的を達成できる好ましいものは得られていない。
【０００５】
従って本発明の目的はこのようなシートの横方向を引張できる仮設建築用シートの取付装置及びその幅寄せ装置を得るにある。
【０００６】
【課題を解決するための手段】
本発明の仮設建築用シートの取付装置は、仮設建築物の本体構造物に固定される、縦方向に延びる一方の縦パイプと、この一方の縦パイプに対向して配置される遊動自在な他方の縦パイプと、シートを挿通するため上記各縦パイプの外側面に軸方向に形成した縦方向のスリットと、上記一方及び他方の縦パイプから夫々対向方向に延びる一方及び他方の互いに係合可能なラック部とよりなり、上記一方の縦パイプと上記他方の縦パイプとの間の距離が可変であることを特徴とする。
【０００７】
また、本発明の幅寄せ装置は、請求項１に記載された仮設建築用の取付装置のために使用される幅寄せ装置であって、上記一方及び他方の縦パイプから夫々上記対向方向と反対の方向に延びる一方及び他方のガイドに対接されこれら一方及び他方のガイドを挟持するため上記一方の縦パイプの外側と上記他方の縦パイプの外側において縦方向前側に設けた左右の前輪及び縦方向後側に設けた左右の後輪と、これら左右の前輪及び後輪を一体に縦方向に摺動自在ならしめるための幅寄せ本体とより成り、上記左右の後輪間の距離が上記左右の前輪間の距離より狭いことを特徴とする。
【０００８】
上記左右の前輪間及び後輪間の距離の少なくとも一方が可変であることを特徴とする。
【０００９】
【発明の実施の形態】
以下図面によって本発明の実施例を説明する。
【００１０】
本発明においては図１に示すように、従来のシートジョイント１をその中央部で２部分に分割せしめて一方及び他方のシートジョイント素子９，１０とし、上記一方の素子９を本体構造物３にボルト４により固定し、上記他方の素子１０を上記本体構造物３に対しフリーの状態とし、上記一方の素子９に他方の素子１０に向って延びる、上方を向くラック部１１を設け、上記他方の素子１０に、一方の素子９に向って延びる、上記上方を向くラック部１１に噛合可能な下方を向くラック部１２を設け、上記他方のシートジョイント素子１０を一方のシートジョイント素子９に離，接する方向にスライド自在ならしめる。
【００１１】
なお、１３は上記一方及び他方のシートジョイント素子９，１０のラック部１１，１２を互いに噛合した状態で抑制するため、上方一方のシートジョイント素子９の上部から上記他方のシートジョイント素子１０の上部に向って延長して設けたバネ板である。
【００１２】
本発明の仮設建築用シートの取付装置は上記のような構成であるから、シート７を取り付けた棒状体８を各縦パイプ５の端面から縦パイプ５内に挿入し、同時にシート７をスリット６に挿通し、図１に示すように上記他方の素子１０のラック部１２の先端部のみを上記一方の素子９のラック部１１に挿入せしめ、その後、図２に示すように上記他方の素子１０のラック部１２を上記一方の素子９のラック部１１の奥まで挿入せしめれば、上記縦パイプ５、５間の距離が狭まり、上記シート７が横方向に緊張されるようになる。
【００１３】
なお、図１に示す状態から図２に示す状態にしてシート７を緊張せしめるためには図３〜図５に示す幅寄せ部材を用いるのが好ましい。
【００１４】
この幅寄せ部材においては、上記一方及び他方のシートジョイント素子９、１０の各縦パイプ５の上面から外方に縦方向に延びるガイド１４、１４を形成し、夫々その外周にガイド溝１５を有する縦方向前側に設けた左右の前輪１６、１６と、縦方向後側に設けた、左右の後輪１７、１７を用い、これら前，後輪の上記ガイド溝１５によって上記ガイド１４、１４を外側から挟持せしめるよう、これら左右の前、後輪１６，１７を、縦方向に摺動自在な幅寄せ本体１８によって回転自在に枢支せしめる。
【００１５】
なお、１９は上記本体１８を縦方向に摺動せしめる場合に用いる、本体１８に固定した把手である。
【００１６】
また、上記左右の前輪１６、１６間の距離は、図１に示すように上記他方の素子１０のラック部１２の先端部のみを上記一方の素子９のラック部１１に挿入せしめた状態の上記ガイド１４、１４間の距離に対応せしめ、上記左右の後輪１７、１７間の距離は、図２に示すように、上記他方の素子１０のラック部１２を上記一方の素子９のラック部１１の奥まで挿入せしめた状態の上記ガイド間１４、１４間の距離に対応せしめるが、上記左右の前輪１６、１６間及び後輪１７、１７間の距離は設定すべきシート７の緊張度に併せて調節可能とするのが好ましい。
【００１７】
上記幅寄せ手段は以下のように使用する。初め図１に示す位置関係で上記左右の前輪１６、１６により上記一方及び他方の素子９、１０のガイド１４、１４の後方端面を挟持せしめ、把手１９をつかんで上記本体１８をガイド１４、１４に沿って前進せしめ、上記左右の後輪１７、１７により上記ガイド１４、１４の後方端面を挟持せしめる。この結果上記ガイド１４、１４の端面間の距離は上記左右の後輪１７、１７によって狭められ、更に上記本体１５を上記ガイド１４、１４の前端を越えるように前進せしめれば、上記ガイド１４、１４間の距離が縦方向全体に亘り上記左右の後輪１７、１７間の距離まで狭められ、図２の状態とすることができ、上記シートが横方向に完全に緊張されるようになる。
【００１８】
【発明の効果】
上記のように本発明の仮設建築用シートの取付装置によれば、シートを緩めた状態でシートジョイントに取り付けることができるので、作業が便利であり、シートをシートジョイントに取り付けた後に、幅寄せ部材によって極めて簡単容易にシートを横方向に引張し、緊張せしめることができるので、外観も良く、雨漏りも防止できる等大きな利益がある。
【図面の簡単な説明】
【図１】本発明の仮設建築用シートの取付装置におけるシートの緊張前の状態の縦断正面図である。
【図２】図１に示すシートの緊張後の状態の縦断正面図である。
【図３】本発明の仮設建築用シートの取付装置に用いる幅寄せ手段の縦断正面図である。
【図４】図３に示す幅寄せ手段の平面図である。
【図５】図３に示す幅寄せ手段の側面図である。
【図６】従来の仮設建築用シートの取付装置の縦断正面図である。
【符号の説明】
１  シートジョイント
２  縦長台板
３  構造物
４  ボルト
５  縦パイプ
６  スリット
７  シート
８  棒状体
９  シートジョイント素子
１０  シートジョイント素子
１１  ラック部
１２  ラック部
１３  バネ板
１４  ガイド
１５  ガイド溝
１６  前輪
１７  後輪
１８  本体
１９  把手
【図１】
0003564688.tif 000002
【図２】
0003564688.tif 000003
【図３】
0003564688.tif 000004
【図４】
0003564688.tif 000005
【図５】
0003564688.tif 000006
【図６】
0003564688.tif 000007